(57)【要約】【課題】外部の電動式真空ポンプを使用することなく、真空引き、配管施工ができる空気調和機を提供する。【解決手段】室外機２に冷媒配管２０を介して接続される室内機１と、空気中の特定気体を分離する機能膜４の前後に圧力差を発生させ分離された特定気体を室内機１に輸送するポンプ３と、ポンプ３と機能膜４との間に設けられ外部ホ−ス接続用の接続ポ−ト５を有する方向切換弁６とを備え、方向切換弁６でポンプ３の吸入経路を機能膜４側または接続ポ−ト５側に切換られるようにし、方向切換弁６の接続ポ−ト５と冷媒配管２０が接続された３方弁１０のサ−ビスポ−ト１０ａ間にゲ−ジマニホ−ルド１１を接続し、方向切換弁６を接続ポ−ト５側にし、ポンプ３を運転して、冷媒配管２０の真空引きを行なう。【選択図】図１ 
2005172350.tif 000002
【特許請求の範囲】
【請求項１】
室外機と、前記室外機に冷媒配管を介して接続される室内機と、空気中の特定気体を分離する機能膜と、前記機能膜の前後に圧力差を発生させ分離された特定気体を前記室内機に輸送するポンプと、前記ポンプと前記機能膜を連通する流路の途中に設けられ外部ホ−ス接続用の接続ポ−トを有する方向切換弁とを備え、前記方向切換弁を操作することで前記ポンプの吸入経路を前記機能膜側または前記接続ポ−ト側に切換られるようにしたことを特徴とする空気調和機。
【請求項２】
運転モ−ドを真空引きモ−ドにすると、ポンプを運転するとともに方向切換弁を接続ポ−ト側に自動的に切換えることを特徴とする請求項１記載の空気調和機。
【請求項３】
方向切換弁を接続ポ−ト側に切り換えてポンプを運転する際に、前記ポンプの回転数または運転率が最高値になるようにすることを特徴とする請求項１または２記載の空気調和機。
【請求項４】
ポンプと方向切換弁の間に真空度を検出する真空度検出手段を設け、前記方向切換弁を接続ポ−ト側に切り換えて前記ポンプを所定時間運転した時に、前記真空度検出手段により検出された真空度が第１の所定値に達しなかった場合、それを報知する報知手段を設けたことを特徴とする請求項１〜３のいずれか１項記載の空気調和機。
【請求項５】
ポンプと方向切換弁の間に真空度を検出する真空度検出手段を設け、前記方向切換弁を機能膜側に切り換えてポンプを所定時間運転した時に、前記真空度検出手段により検出された真空度が所定値に達しなかった場合、それを報知する報知手段を設けたことを特徴とする請求項１〜３のいずれか１項記載の空気調和機。
【請求項６】
室外機に、ポンプへの通電をＯＮ、ＯＦＦする運転スイッチを設けたことを特徴とする請求項１〜５のいずれか１項記載の空気調和機。
【発明の詳細な説明】
【技術分野】
【０００１】
本発明は、空気中の特定気体を分離し屋内に供給する空気分離機能を有する空気調和機に関するものであり、更に詳しくはセパレ−ト型の空気調和機の配管施工方法に関するものである。
【背景技術】
【０００２】
従来この種の空気分離機能を有する空気調和機として、空気中の特定気体を分離するための機能膜とポンプを室外機に設け、ポンプにより機能膜の前後に圧力差を発生させるとともに、分離された特定気体を室内機に輸送することにより室内の特定気体の組成比率を富化させる空気調和機が知られている（例えば、特許文献１参照）。
【０００３】
次に、従来のセパレ−ト型空気調和機の配管施工方法について、図７を用いて説明する。図７において、室外機２に設けられたガス側の３方弁１０のサ−ビスポ−ト１０ａに、外部ホースである耐圧ホ−ス１３、ゲ−ジマニホ−ルド１１を介して外部の電動式真空ポンプ２１を接続し、その電動式真空ポンプ２１にて冷媒配管２０内部を十分に真空引きした後、液側２方弁（図示せず）から冷媒ガスを冷媒配管２０内に導入させていた。
【特許文献１】特開平２−１３６６３１号公報
【発明の開示】
【発明が解決しようとする課題】
【０００４】
しかしながら、上記従来の空気調和機においては、例えば室外機２を屋根上や屋上等の設置条件の悪い場所に設置する場合にも、電動式真空ポンプ２１を室外機２の傍まで運ばなければならず、また設置場所によっては室外機２の周辺に電動式真空ポンプ２１用の電源が取れず、遠くから延長コードを引いてこなければならないといった課題を有していた。
【０００５】
本発明はこのような従来の課題を解決するものであり、設置時に室外機周辺に電動式真空ポンプ用の電源が無い場合や、電動式真空ポンプが無くても冷媒配管の真空引きができる空気調和機を提供することを目的とする。
【課題を解決するための手段】
【０００６】
前記従来の課題を解決するために、本発明の空気調和機は、室外機と、前記室外機に冷媒配管を介して接続される室内機と、空気中の特定気体を分離する機能膜と、前記機能膜の前後に圧力差を発生させ分離された特定気体を前記室内機に輸送するポンプと、前記ポンプと前記機能膜を連通する流路の途中に設けられ外部ホ−ス接続用の接続ポ−トを有する方向切換弁とを備え、前記方向切換弁を操作することで前記ポンプの吸入経路を前記機能膜側または前記接続ポ−ト側に切換られるようにしたもので、方向切換弁の接続ポ−トと冷媒配管が接続されたガス側の３方弁のサ−ビスポ−トとの間に外部ホースを介してゲ−ジマニホ−ルドを接続し、方向切換弁を接続ポ−ト側にし、空気調和機に内蔵されたポンプを運転することで、冷媒配管の真空引きができるので、外部の途電動式真空ポンプが不要となり、施工、サービスが極めて容易になる。
【発明の効果】
【０００７】
本発明の空気調和機は、室外機周辺に電動式真空ポンプ用の電源が無い場合や、電動式真空ポンプが無くても冷媒配管の真空引きができる。
【発明を実施するための最良の形態】
【０００８】
第１の発明は、室外機と、前記室外機に冷媒配管を介して接続される室内機と、空気中の特定気体を分離する機能膜と、前記機能膜の前後に圧力差を発生させ分離された特定気体を前記室内機に輸送するポンプと、前記ポンプと前記機能膜を連通する流路の途中に設けられ外部ホ−ス接続用の接続ポ−トを有する方向切換弁とを備え、前記方向切換弁を操作することで前記ポンプの吸入経路を前記機能膜側または前記接続ポ−ト側に切換られるようにしたもので、方向切換弁の接続ポ−トと冷媒配管が接続されたガス側の３方弁のサ−ビスポ−トとの間に外部ホースを介してゲ−ジマニホ−ルドを接続し、方向切換弁を接続ポ−ト側にし、空気調和機に内蔵されたポンプを運転することで、冷媒配管の真空引きができるので、外部の途電動式真空ポンプが不要となり、施工、サービスが極めて容易になる。
【０００９】
第２の発明は、特に、第１の発明の空気調和機の運転モ−ドを真空引きモ−ドにすると、ポンプを運転するとともに方向切換弁を接続ポ−ト側に自動的に切換えるもので、運転モードを切り換えるだけで、方向切換弁も切り換わるので、方向切換弁の切り換えを忘れたままポンプを運転することが無く、施工者の操作ミスや手間を省くことができる。
【００１０】
第３の発明は、特に、第１又は第２の発明の方向切換弁を接続ポ−ト側に切り換えてポンプを運転する際に、前記ポンプの回転数または運転率が最高値になるようにするもので、ポンプの排気速度を上げ、短時間で確実に真空引きを行うことができる。
【００１１】
第４の発明は、特に、第１〜３のいずれか１つの発明のポンプと方向切換弁の間に真空度を検出する真空度検出手段を設け、前記方向切換弁を接続ポ−ト側に切り換えて前記ポンプを所定時間運転した時に、前記真空度検出手段により検出された真空度が第１の所定値に達しなかった場合、それを報知する報知手段を設けたもので、施工者が方向切換弁の操作を忘れたり接続ポートに接続された外部ホ−ス等の接続不良等で真空が充分引けていない場合、その真空が引けていない旨を報知手段により確実に施工者に知らしめ、施工の再確認を促すことができる。
【００１２】
第５の発明は、特に、第１〜３のいずれか１つの発明のポンプと方向切換弁の間に真空度を検出する真空度検出手段を設け、前記方向切換弁を機能膜側に切り換えてポンプを所定時間運転した時に、前記真空度検出手段により検出された真空度が所定値に達しなかった場合、それを報知する報知手段を設けたもので、施工終了後の空気分離機能を確認するための運転時に、ポンプに連通する吸入経路が異物で詰まったり、ポンプが故障して排気不良となった場合等、空気分離機能の不良の旨を、報知手段で使用者に知らしめ、点検、修理を促すことができる。
【００１３】
第６の発明は、特に、第１〜５のいずれか１つの発明の室外機に、ポンプへの通電をＯＮ、ＯＦＦする運転スイッチを設けたもので、施工者は室外機周辺にいながら真空引きモ−ドで運転することが可能となり、室内機周辺に戻ってリモコンや室内機本体のスイッチ等で真空引きモ−ド運転に設定する手間を省くことができる。
【００１４】
以下、本発明の実施の形態について、図面を参照しながら説明する。なお、本実施の形態によって本発明が限定されるものではない。
【００１５】
（実施の形態１）
図１は本発明の第１の実施の形態における空気調和機の系統図で、図２は同空気調和機の室外機の正面図で、図３は、同空気調和機の配管施工方法を示す室外機の部分斜視図で、図４は、同室外機の３方弁付近拡大図、図５は、同室外機のポンプの回転数と到達真空度の関係を示すグラフである。なお、従来例と同一部分については同一符号を用いてその説明を省略する。
【００１６】
図１、２において、室内機１と室外機２は冷媒配管２０と特定気体の輸送用チュ−ブ８により接続されている。室外機２には特定気体を分離する機能膜４と、機能膜４の前後に圧力差を生じさせると共に分離された特定気体を室内機１に送り出すポンプ３が設けられており、機能膜４は方向切換弁６を介して耐圧ホ−ス７によりポンプ３の吸入側に接続されており、耐圧ホ−ス７の途中には真空度検出手段９が設けられている。また方向切換弁６の他方向には外部ホ−スである耐圧ホース１４を接続するための接続ポ−ト５が設けられている。
【００１７】
上記構成による、動作、作用は以下の通りである。
【００１８】
通常の空気調和機の冷房、暖房運転については、従来と同一であるので、説明を省略する。
【００１９】
最初に、空気中の特定の気体、例えば酸素を分離して室内に供給する空気分離運転について説明する。方向切換弁６を、機能膜４側に切り換えておき、ポンプ３を運転すると、機能膜４の下流側に吸引力が作用し、機能膜４の上流側の大気圧との間で圧力の差が生じ、特定の気体、たとえば酸素が機能膜４を透過し、酸素が富化された空気が耐圧ホース７、ポンプ３を経て、チューブ８を通って室内機１に至り、室内に放出され、室内に居住する人は酸素富化空気を得て新鮮な気分に浸ることができる。
【００２０】
次に、配管施工方法について説明する。
【００２１】
図３は、本実施の形態における空気調和機の配管施工方法を示す室外機の部分斜視図であり、図４は室外機の３方弁付近拡大図である。
【００２２】
配管施工時には３方弁１０のサ−ビスポ−ト１０ａとゲ−ジマニホ−ルド１１の低圧ポ−ト１２ａを耐圧ホ−ス１３で接続し、更に接続ポ−ト５とゲ−ジマニホ−ルド１１の中央ポ−ト１２ｂを耐圧ホ−ス１４で接続する。その後方向切換弁６を手動で接続ポ−ト５側に設定し、リモコン（図示せず）等で真空引きモ−ドで運転することで冷媒配管２０の真空引きができる。
【００２３】
ここで図５はポンプ３の回転数と到達真空度の関係を示すグラフであるが、図５においてポンプ３の回転数が低いと到達真空度が上昇し、目標真空度（１００Ｐａ）に達しなくなる。そこで真空引きモ−ドに設定されると、ポンプ３を最高の回転数または運転率で運転し、所定時間（例えば１０分）経過後に真空度検出手段９により検出された真空度が第１の所定値（目標真空度）に達していない場合、真空引きが不完全ということで、ブザ−や表示部等を有する報知手段（図示せず）を用いて施工者に知らしめるようにすれば、施工者が方向切換弁の操作を忘れたり接続ポートに接続された耐圧ホ−ス等の接続不良等で真空が充分引けていない場合等に、その旨を確実に施工者に知らしめ、施工の再確認を促すことができる。
【００２４】
また空気調和機の施工完了後に、確認運転として空気分離機能運転を所定時間行った際に、真空度検出手段９により検出された真空度が所定値に達していない場合、空気分離機能が不良ということで、ブザ−や表示部等を有する報知手段（図示せず）を用いて同様に使用者に知らしめるようにすれば、ポンプに連通する吸入経路が異物で詰まったり、ポンプが故障して排気不良となった場合等、空気分離機能の不良の旨を使用者に知らしめ、点検、修理を促すことができる。
【００２５】
（実施の形態２）
図６は本発明の第２の実施の形態を示す室外機の部分斜視図である。なお、上記実施の形態と同一部分については同一符号を用いてその説明を省略する。
【００２６】
本実施の形態は、室外機２に、ポンプ３への通電をＯＮ、ＯＦＦするポンプ運転スイッチ１５を設けたもので、施工者はゲ−ジマニホ−ルド１１を接続した後ポンプ運転スイッチ１５をＯＮすれば、真空引きモ−ドの運転が開始され、施工者は室内機１の所までわざわざ行かなくても配管施工が可能となる。
【産業上の利用可能性】
【００２７】
本発明の空気調和機は、外部の電動式真空ポンプが無くても真空引きができるので、真空引きを必要とする他機器への用途にも適用できる。
【図面の簡単な説明】
【００２８】
【図１】本発明の実施の形態１における空気調和機の系統図
【図２】同空気調和機の室外機の正面図
【図３】同空気調和機の配管施工方法を示す室外機の部分斜視図
【図４】同室外機の３方弁付近拡大図
【図５】同室外機のポンプの回転数と到達真空度の関係を示すグラフ
【図６】本発明の実施の形態２における空気調和機の室外機の部分斜視図
【図７】従来の空気調和機の配管施工方法を示す室外機の部分斜視図
【符号の説明】
【００２９】
１    室内機
２    室外機
３    ポンプ
４    機能膜
５    接続ポート
６    方向切換弁
８    チュ−ブ
１０    ３方弁
１０ａ  サービスポート
１１    ゲ−ジマニホ−ルド
１３、１４  耐圧ホース（外部ホース）
１５    ポンプ運転スイッチ
２０    冷媒配管
【図１】
2005172350.tif 000003
【図２】
2005172350.tif 000004
【図３】
2005172350.tif 000005
【図４】
2005172350.tif 000006
【図５】
2005172350.tif 000007
【図６】
2005172350.tif 000008
【図７】
2005172350.tif 000009